(57)【要約】【課題】時計機能を有する炊飯器において、使用者が現在時刻の設定をせずとも自動的に現在時刻を設定できるようにし、タイマー予約炊飯時に確実に希望通りの炊き上がり時刻にご飯を炊き上げるようにする。【解決手段】炊飯器本体１内に鍋を着脱自在に収納し、鍋を加熱する加熱手段を制御手段７により制御する。制御手段７は、時計１３と現在時刻設定手段を構成するマイコン１２と電波受信手段１１とを有し、マイコン１２は現在時刻情報を有する電波を受信することにより現在時刻を設定するようにする。【選択図】図１
2005168550.tif 000002
【特許請求の範囲】
【請求項１】
炊飯器本体と、前記炊飯器本体内に着脱自在に収納される鍋と、前記鍋を加熱する加熱手段と、前記加熱手段を制御する制御手段とを備え、前記制御手段は、時計と現在時刻設定手段と電波受信手段とを有し、前記現在時刻設定手段は現在時刻情報を有する電波を受信することにより現在時刻を設定するようにした炊飯器。
【請求項２】
炊飯器本体と、前記炊飯器本体内に着脱自在に収納される鍋と、前記鍋を加熱する加熱手段と、前記加熱手段を制御する制御手段とを備え、前記制御手段は、時計と現在時刻設定手段とＩＰ網接続手段とを有し、前記現在時刻設定手段はＩＰ網の現在時刻情報を受信することにより現在時刻を設定するようにした炊飯器。
【請求項３】
現在時刻設定手段は、一定時間毎に現在時刻を設定するようにした請求項１または２記載の炊飯器。
【請求項４】
交流電源に接続する電源ケーブルを備え、現在時刻設定手段は、前記電源ケーブルを交流電源へ差込時に現在時刻を設定するようにした請求項１または２記載の炊飯器。
【請求項５】
主電源スイッチを備え、前記主電源スイッチを通電側に操作すると現在時刻を設定するようにした請求項１または２記載の炊飯器。
【請求項６】
表示動作を行う表示部を備え、前記表示部に、時刻設定の動作状態を示す時刻設定表示部を設けた請求項１または２記載の炊飯器。
【請求項７】
タイマー予約キーと炊飯キーとを備え、前記タイマー予約キーと前記炊飯キーの２つでタイマー予約炊飯の操作を行なうようにした請求項１または２記載の炊飯器。
【発明の詳細な説明】
【技術分野】
【０００１】
本発明は、時計機能を有する炊飯器に関するものである。
【背景技術】
【０００２】
従来、この種の炊飯器は図５に示すように構成していた。以下、その構成について説明する。
【０００３】
図５に示すように、交流電源４６に電源ケーブル４４を接続し、この電源ケーブル４４を介して、電源周波数検知手段４９により交流電源４６の周波数およびオン／オフを検出し、時計４３を現在時刻に合わせる現在時刻合わせ手段４８を有する制御回路部４５を備え、電源ケーブル４４に時計データを発生する時計データ発生装置４１を接続し、制御回路部４５は電源ケーブル４４を介して電源周波数検知手段４９により時計データを受付け、現在時刻合わせ手段４８により時計の現在時刻合わせを行うよう構成していた（例えば、特許文献１参照）。
【特許文献１】特開平８−２５６９１０号公報
【発明の開示】
【発明が解決しようとする課題】
【０００４】
しかしながら、このような従来の構成では、工場出荷時の現在時刻設定は容易となるが、長期間の使用による時計の誤差や現在時刻合わせ手段４８の誤った操作により現在時刻がずれてしまうことがある。その場合、タイマー予約炊飯の炊き上がり時刻がずれるので、再度現在時刻の設定が必要となる。また、時計機能のバックアップ用電池が切れると電源を差し込むたびに現在時刻を設定するか、あるいは電池の交換が必要であった。
【０００５】
本発明は上記課題を解決するもので、使用者が現在時刻の設定をせずとも自動的に現在時刻を設定できるようにし、タイマー予約炊飯時に確実に希望通りの炊き上がり時刻にご飯を炊き上げるようにすることを第１の目的としている。
【０００６】
また、上記第１の目的に加え、タイマー予約炊飯時刻の設定もできるようにし、遠隔操作にて確実に希望通りの時刻に炊飯できるようにすることを第２の目的としている。
【課題を解決するための手段】
【０００７】
本発明は上記第１の目的を達成するために、炊飯器本体内に鍋を着脱自在に収納し、鍋を加熱する加熱手段を制御手段により制御するよう構成し、制御手段は、時計と現在時刻設定手段と電波受信手段とを有し、現在時刻設定手段は現在時刻情報を有する電波を受信することにより現在時刻を設定するようにしたものである。
【０００８】
これにより、使用者が現在時刻の設定をせずとも自動的に現在時刻を設定することができ、現在時刻の設定が不要となるとともに、タイマー予約炊飯時に確実に希望通りの炊き上がり時刻にご飯を炊き上げることができる。
【０００９】
また、上記第２の目的を達成するために、炊飯器本体内に鍋を着脱自在に収納し、鍋を加熱する加熱手段を制御手段により制御するよう構成し、制御手段は、時計と現在時刻設定手段とＩＰ網接続手段とを有し、現在時刻設定手段はＩＰ網の現在時刻情報を受信することにより現在時刻を設定するようにしたものである。
【００１０】
これにより、使用者が現在時刻の設定をせずとも自動的に現在時刻を設定することができるとともに、ＩＰ網を経由してタイマー予約炊飯時刻の設定をすることができ、遠隔操作にて確実に希望通りの時刻に炊飯をすることができる。
【発明の効果】
【００１１】
本発明の炊飯器は、使用者が現在時刻の設定をせずとも自動的に現在時刻設定ができ、現在時刻の設定が不要となるとともに、タイマー予約炊飯時に確実に希望通りの炊き上がり時刻にご飯を炊き上げることができる。
【発明を実施するための最良の形態】
【００１２】
第１の発明は、炊飯器本体と、前記炊飯器本体内に着脱自在に収納される鍋と、前記鍋を加熱する加熱手段と、前記加熱手段を制御する制御手段とを備え、前記制御手段は、時計と現在時刻設定手段と電波受信手段とを有し、前記現在時刻設定手段は現在時刻情報を有する電波を受信することにより現在時刻を設定するようにしたものであり、使用者が現在時刻の設定をせずとも自動的に現在時刻を設定することができ、現在時刻の設定が不要となるとともに、現在時刻設定用の操作部を有しないので、操作部の煩雑さを解消することができ、タイマー予約炊飯時に確実に希望通りの炊き上がり時刻にご飯を炊き上げることができる。
【００１３】
第２の発明は、炊飯器本体と、前記炊飯器本体内に着脱自在に収納される鍋と、前記鍋を加熱する加熱手段と、前記加熱手段を制御する制御手段とを備え、前記制御手段は、時計と現在時刻設定手段とＩＰ網接続手段とを有し、前記現在時刻設定手段はＩＰ網の現在時刻情報を受信することにより現在時刻を設定するようにしたものであり、使用者が現在時刻の設定をせずとも自動的に現在時刻設定ができて、現在時刻設定用の操作部を有しないので、操作部の煩雑さを解消することができるのに加え、ＩＰ網を経由してタイマー予約炊飯時刻の設定も可能となり、遠隔操作にて確実に希望通りの時刻に炊飯をすることができる。
【００１４】
第３の発明は、上記第１または第２の発明において、現在時刻設定手段は、一定時間毎に現在時刻を設定するようにしたものであり、炊飯器の時計を常に実際の時刻とおなじ現在時刻にすることができる。
【００１５】
第４の発明は、上記第１または第２の発明において、交流電源に接続する電源ケーブルを備え、現在時刻設定手段は、前記電源ケーブルを交流電源へ差込時に現在時刻を設定するようにしたものであり、炊飯器の時計のバックアップ用電池がなくても、タイマー予約炊飯をすることができる。
【００１６】
第５の発明は、上記第１または第２の発明において、主電源スイッチを備え、前記主電源スイッチを通電側に操作すると現在時刻を設定するようにしたものであり、待機状態からの復帰時に使用者が現在時刻の設定をせずとも、自動的に現在時刻を設定することができ、現在時刻の設定が不要となるとともに、タイマー予約炊飯時に確実に希望通りの炊き上がり時刻にご飯を炊き上げることができる。
【００１７】
第６の発明は、上記第１または第２の発明において、表示動作を行う表示部を備え、前記表示部に、時刻設定の動作状態を示す時刻設定表示部を設けたものであり、時刻設定の動作状態を認識することができ、時計の時刻が実際の時刻と合っていることを確認することができる。
【００１８】
第７の発明は、上記第１または第２の発明において、タイマー予約キーと炊飯キーとを備え、前記タイマー予約キーと前記炊飯キーの２つでタイマー予約炊飯の操作を行なうようにしたものであり、タイマー予約炊飯用の時刻設定キーを別途設けることなくタイマー予約炊飯を行なうことができるので、タイマー予約炊飯時のキー操作の煩雑さを解消することができる。
【００１９】
以下、本発明の実施の形態について、図面を参照しながら説明する。なお、この実施の形態によって本発明が限定されるものではない。
【００２０】
（実施の形態１）
図２に示すように、炊飯器本体１は、有底筒状の鍋収納部１ａを有し、鍋２を着脱自在に収納する。蓋３はヒンジ軸４により軸支し、開閉自在に炊飯器本体１の上面開口部を覆っている。鍋２は鍋収納部１ａの底部に設けた加熱手段である底誘導コイル５により誘導加熱される。電源ケーブル８ａを交流電源に接続すると電力が供給され、高周波電力供給部８ｂより底誘導コイル５に高周波電力が供給される。底センサ６は鍋２の温度を検知し、制御手段７へ信号を送る。制御手段７は底センサ６からの信号により高周波電力供給部８ｂの底誘導コイル５へ供給する通電量を可変し、鍋２の加熱量を制御することで鍋２の温度を適温に制御する。
【００２１】
制御手段７には、図１に示すように、炊飯の操作を行なう操作部９と、炊飯器の動作状態や現在時刻を表示する表示部１０と、現在時刻情報の電波を受信する電波受信手段１１と、底センサ６、操作部９および電波受信手段１１からの各信号を処理し炊飯の動作制御と表示部１０の表示制御を行なうマイコン１２と、現在時刻をカウントする時計１３と、オフ時は制御手段７の消費電力量がゼロとなる主電源スイッチ１４とを設けている。
【００２２】
ここで、マイコン１２は、現在時刻設定手段を構成しており、電波受信手段１１より現在時刻情報を有する電波を受信することにより、現在時刻を設定するようにしている。
【００２３】
表示部１０には、現在時刻を表示する現在時刻表示部１０ａと時刻設定の動作状態を表示する時刻設定表示部１０ｂとを設けている。操作部９には、炊飯キー９ａとタイマー予約キー９ｂとを設けている。
【００２４】
上記構成において動作を説明する。まず、現在時刻を設定する場合について説明する。交流電源に電源ケーブル８ａを接続すると、マイコン１２は電波受信手段１１を通して電波による現在時刻情報を受信する。電波による現在時刻情報としては、電波時計で用いられる長波標準電波がその１つに挙げられ、正確な時刻情報の電波が常に送られている。マイコン１２は電波受信手段１１で受信した現在時刻情報に従って正確な現在時刻を認識し、時計１３の時刻を正確な現在時刻に設定するとともに、現在時刻表示部１０ａに正確な時刻を表示する。このようして、自動的に現在時刻が設定され、かつ正確な現在時刻表示が可能となる。
【００２５】
そして、主電源スイッチ１４をオフ側から通電状態のオン側に切り替えたときもマイコン１２が電波受信手段１１を通して電波による現在時刻情報を受信し、時計１３の時刻を正確な現在時刻に設定するとともに、現在時刻表示部１０ａに正確な時刻を表示する。これにより常に機器を使用する初期状態において時計１３の時刻は自動的に正確な時刻に設定することができる。加えて時計１３のバックアップ用の電池がなくとも電源を差し込むだけでタイマー予約炊飯ができるようになり、バックアップ用の電池が不要になる。
【００２６】
また、一定時間間隔でマイコン１２は再び電波受信手段１１を通して現在時刻情報を受信して正確な現在時刻を認識し、時計１３の時刻を正確な現在時刻に修正するとともに、現在時刻表示部１０ａに表示される時刻を修正する。実際の時刻と時計１３の時刻は時間の経過とともに僅かずつずれを生じるが、一定時間おきに時刻が修正されるので、現在時刻は常に正確な時刻を表示することができる。このようにして自動的に現在時刻を設定でき、現在時刻設定が不要となる。
【００２７】
ここで、現在時刻情報の受信間隔がおよそ１日に４回程度であれば、時刻表示の誤差は月差１秒程度に収めることができ、炊飯器として十分な時計精度が確保できる。また、自動的に現在時刻設定をおこなうので、従来のような現在時刻設定用の操作部を必要とせず、操作部のキーの数が減り操作部の煩雑さを解消できる。加えて、従来のような時刻設定手段の誤操作による時計のずれの恐れもない。
【００２８】
そして、時刻設定の動作中は表示部１０の時刻設定表示部１０ｂに時刻設定の動作中の旨を表示する。これにより、使用者は現在時刻の設定が確実に行なわれているのを認識でき、表示部１０の現在時刻表示部１０ａの時刻が正しい時刻であることを認識できる。
【００２９】
つぎに、タイマー予約炊飯の動作について説明する。タイマー予約キー９ｂを押すと、タイマー予約炊飯設定モードとなり、表示部１０の現在時刻表示部１０ａに炊き上がり時刻が表示される。引き続きタイマー予約キー９ｂを押すと、キーを押すたびに炊き上がり時刻がたとえば１０分毎に変更される。希望の炊き上がり時刻となった時点で炊飯キー９ａを押すとタイマー予約炊飯を開始する。
【００３０】
マイコン１２が指定した時刻に炊き上がるように所定の時刻に底センサ６よりの鍋２の温度に応じて高周波電力供給部８ｂより供給される高周波電力を制御し、炊飯を行なう。マイコン１２は常に正確な時刻を把握しているので、確実に希望した炊き上がり時刻にご飯が炊き上がる。これにより、従来のような時刻設定キーを必要とせずにタイマー予約炊飯が行なえるので、操作するキーの数が減り、タイマー予約炊飯時のキー操作の煩雑さが解消できる。
【００３１】
以上のように、本実施の形態においては、制御手段７は、時計１３と現在時刻設定手段を構成するマイコン１２と電波受信手段１１とを有し、マイコン１２は現在時刻情報を有する電波を受信することにより現在時刻を設定するようにしたので、使用者が現在時刻の設定をせずとも自動的に現在時刻を設定することができ、現在時刻の設定が不要となるとともに、現在時刻設定用の操作部を有しないので、操作部の煩雑さを解消することができ、タイマー予約炊飯時に確実に希望通りの炊き上がり時刻にご飯を炊き上げることができる。
【００３２】
また、マイコン１２は、一定時間毎に現在時刻を設定するようにしたので、炊飯器の時計を常に実際の時刻とおなじ現在時刻にすることができる。
【００３３】
また、マイコン１２は、電源ケーブル８ａを交流電源へ差込時に現在時刻を設定するようにしたので、炊飯器の時計のバックアップ用電池がなくても、タイマー予約炊飯をすることができる。
【００３４】
また、主電源スイッチ１４を通電側に操作すると現在時刻を設定するようにしたので、待機状態からの復帰時に使用者が現在時刻の設定をせずとも、自動的に現在時刻を設定することができ、現在時刻の設定が不要となるとともに、タイマー予約炊飯時に確実に希望通りの炊き上がり時刻にご飯を炊き上げることができる。
【００３５】
また、表示部１０に、時刻設定の動作状態を示す時刻設定表示部１０ｂを設けたので、時刻設定の動作状態を認識することができ、時計１３の時刻が実際の時刻と合っていることを確認することができる。
【００３６】
また、タイマー予約キー９ｂと炊飯キー９ａの２つでタイマー予約炊飯の操作を行なうようにしたので、タイマー予約炊飯用の時刻設定キーを別途設けることなくタイマー予約炊飯を行なうことができるので、タイマー予約炊飯時のキー操作の煩雑さを解消することができる。
【００３７】
（実施の形態２）
図３に示すように、炊飯器本体２１は有底筒状の鍋収納部２１ａを有し、鍋２２を着脱自在に収納する。蓋２３はヒンジ軸２４により軸支し、開閉自在に炊飯器本体２１の上面開口部を覆っている。鍋２２は鍋収納部２１ａの底部に設けた加熱手段である底誘導コイル２５により誘導加熱される。電源ケーブル２８ａを交流電源に接続すると電力が供給され、高周波電力供給部２８ｂより底誘導コイル２５に高周波電力が供給される。底センサ２６は、鍋２２の温度を検知し、制御手段２７へ信号を送る。制御手段２７は底センサ２６の信号により高周波電力供給部２８ｂの底誘導コイル２５へ供給する通電量を可変し、鍋２２の加熱量を制御することで鍋２２の温度を適温に制御する。
【００３８】
制御手段２７には、図４に示すように、炊飯の操作を行なう操作部２９と、炊飯器の動作状態や現在時刻を表示する表示部３０と、ＩＰ網と接続可能なＩＰ網接続手段３１と、底センサ２６、操作部２９およびＩＰ網接続手段３１を経由したＩＰ網からの各信号を処理し炊飯の動作制御と表示部３０の表示制御を行なうマイコン３２と、現在時刻をカウントする時計３３と、オフ時は制御手段２７の消費電力量がゼロとなる主電源スイッチ３４とを設けている。
【００３９】
ここで、マイコン１２は、現在時刻設定手段を構成しており、ＩＰ網接続手段３１よりＩＰ網の現在時刻情報を有する電波を受信することにより、現在時刻を設定するようにしている。
【００４０】
表示部３０には現在時刻を表示する現在時刻表示部３０ａと、時刻設定の動作状態を表示する時刻設定表示部３０ｂとを設けている。操作部２９には、炊飯キー２９ａとタイマー予約キー２９ｂとを設けている。
【００４１】
上記構成において動作を説明する。まず、現在時刻の設定について説明する。交流電源に電源ケーブル２８ａを接続し、ＩＰ網接続手段３１を経由してＩＰ網と接続すると、マイコン３２はＩＰ網接続手段３１通してＩＰ網に接続し、ＩＰ網にある現在時刻情報を受信する。マイコン１２はＩＰ網接続手段３１を経由して受信した現在時刻情報に従って正確な現在時刻を認識し、時計３３の時刻を正確な現在時刻に設定するとともに、現在時刻表示部３０ａに正確な時刻を表示する。このようして自動的に現在時刻が設定され、かつ正確な現在時刻表示が可能となる。
【００４２】
そして、主電源スイッチ３４をオフ側から通電状態のオン側に切り替えたときもマイコン３２がＩＰ網接続手段３１を通して現在時刻情報を受信し、時計３３の時刻を正確な現在時刻に設定するとともに、現在時刻表示部３０ａに正確な時刻を表示する。これにより、常に機器を使用する初期状態において時計１３の時刻は自動的に正確な時刻に設定することができる。加えて時計１３のバックアップ用の電池がなくとも電源を差し込むだけでタイマー予約炊飯ができるようになり、バックアップ用の電池が不要になる。
【００４３】
また、一定時間間隔でマイコン１２は再びＩＰ網接続手段３１を経由してＩＰ網より現在時刻情報を受信して正確な現在時刻を認識し、時計３３の時刻を修正するとともに、現在時刻表示部３０ａに表示される時刻を修正する。実際の時刻と時計３３の時刻は時間の経過とともに僅かずつズレを生じるが、一定時間おきに時刻が修正されるので、現在時刻は常に正確な時刻を表示することができる。このようにして自動的に現在時刻を設定でき、現在時刻設定が不要となる。
【００４４】
ここで、現在時刻情報の受信間隔がおよそ１日に４回程度であれば、時刻表示の誤差が月差１秒程度に収めることができ、炊飯器として十分な時計精度が確保できる。また、自動的に現在時刻設定をおこなうので、従来のような現在時刻設定用の操作部を必要とせず、操作部のキーの数が減り操作部の煩雑さを解消できる。加えて、時刻設定手段の誤操作による時計のずれの恐れもない。
【００４５】
そして、時刻設定の動作中は表示部３０の時刻設定表示部３０ｂに時刻設定の動作中の旨を表示する。これにより、使用者は現在時刻の設定が確実に行なわれているのを認識でき、表示部３０の現在時刻表示部３０ａの時刻が正しい時刻であることを認識できる。
【００４６】
つぎに、タイマー予約炊飯の動作について説明する。タイ予約キー２９ｂを押すとタイマー予約炊飯設定モードとなり、表示部３０の現在時刻表示部３０ａに炊き上がり時刻が表示される。引き続きタイマー予約キー２９ｂを押すと、キーを押すたびに炊き上がり時刻がたとえば１０分毎に変更される。希望の炊き上がり時刻となった時点で炊飯キー２９ａを押すとタイマー予約炊飯を開始する。
【００４７】
マイコン３２が指定した時刻に炊き上がるように所定の時刻になると底センサ２６よりの鍋２２の温度に応じて高周波電力供給部２８ｂより供給される高周波電力を制御し、炊飯を行なう。マイコン３２は常に正確な時刻を把握しているので、確実に希望した炊き上がり時刻にご飯が炊き上がる。これにより従来のような時刻設定キーを必要とせずにタイマー予約炊飯が行なえるので、操作するキーの数が減り、タイマー予約炊飯時のキー操作の煩雑さが解消できる。
【００４８】
また、ＩＰ網に接続されているのでＩＰ網経由でタイマー予約炊飯を開始することで、遠隔操作にても確実に希望通りの時刻に炊飯することができる。
【００４９】
以上のように、本実施の形態においては、制御手段２７は、時計３３と現在時刻設定手段を構成するマイコン３２とＩＰ網接続手段３１とを有し、マイコン３２はＩＰ網の現在時刻情報を受信することにより現在時刻を設定するようにしたので、使用者が現在時刻の設定をせずとも自動的に現在時刻設定をすることができ、現在時刻設定用の操作部を有しないので、操作部の煩雑さを解消することができるのに加え、ＩＰ網を経由してタイマー予約炊飯時刻の設定も可能となり、遠隔操作にて確実に希望通りの時刻に炊飯をすることができる。
【産業上の利用可能性】
【００５０】
以上のように、本発明にかかる炊飯器は、使用者が現在時刻の設定をせずとも自動的に現在時刻設定ができ、現在時刻の設定が不要となるとともに、タイマー予約炊飯時に確実に希望通りの炊き上がり時刻にご飯を炊き上げることができるので、時計機能を有する炊飯器として有用である。
【図面の簡単な説明】
【００５１】
【図１】本発明の実施の形態１の炊飯器の上面図
【図２】同炊飯器の断面図
【図３】本発明の実施の形態２の炊飯器の断面図
【図４】同炊飯器の上面図
【図５】（ａ）従来の炊飯器の正面図（ｂ）同炊飯器を接続する電源の正面図
【符号の説明】
【００５２】
１  炊飯器本体
２  鍋
５  底誘導コイル（加熱手段）
７  制御手段
１１  電波受信手段
１２  マイコン（現在時刻設定手段）
１３  時計
【図１】
2005168550.tif 000003
【図２】
2005168550.tif 000004
【図３】
2005168550.tif 000005
【図４】
2005168550.tif 000006
【図５】
2005168550.tif 000007